(57)【要約】気管切開アクセサリ（２３）を保持するように配置されたキャリア（１）が提供される。キャリア（１）は、少なくとも２つのコンパートメント（５，６，７，８）であって、それぞれのコンパートメントが、気管切開アクセサリ（２３）の種類を保持するように配置されている、少なくとも２つのコンパートメントと、どのコンパートメント（５，６，７，８）がどのアクセサリの種類を保持するかについてユーザーをガイドする説明的ガイド（１４）とを、備える。少なくとも２つのコンパートメント（５，６，７，８）は、互いに折り重ね可能であり、前記コンパートメント（５，６，７，８）が、閉状態でアクセスできなくなる。【選択図】図７
2019506927.tif 000002
【特許請求の範囲】
【請求項１】
気管切開アクセサリ（２３）を保持するように配置されたキャリア（１）であって、前記キャリア（１）は、
少なくとも２つのコンパートメント（５，６，７，８）であって、それぞれのコンパートメントが、気管切開アクセサリ（２３）の種類を保持するように配置されている、少なくとも２つのコンパートメント；
どのコンパートメント（５，６，７，８）がどのアクセサリの種類を保持するかについてユーザーをガイドする説明的ガイド（１４）；および
前記少なくとも２つのコンパートメント（５，６，７，８）は、互いに折り重ね可能であり、前記コンパートメント（５，６，７，８）が閉状態でアクセスできなくなる、
を備える、キャリア（１）。
【請求項２】
請求項１に記載のキャリア（１）であって、それぞれのコンパートメント（５，６，７，８）は、カテゴリーを示すシンボル（２４ａ−ｆ）と共に配置され、従って、それぞれのコンパートメントは、カテゴリーと関連付けられ、それぞれのコンパートメント（５，６，７，８）は、コンパートメント（５，６，７，８）と関連するカテゴリーと関連する気管切開アクセサリ（２３）を保持するように配置されている、キャリア（１）。
【請求項３】
請求項１または２に記載のキャリア（１）であって、キャリア（１）は、４つのコンパートメントを備え、第３コンパートメント（７）は、第４コンパートメント（８）に折り重ね可能であり、第３および第４コンパートメント（７，８）は、ロック配置（９，１０）と共に配置され、ロック配置（９，１０）は、キャリア（１）が部分的に開いた状態にあるときに、第３および第４コンパートメント（７，８）が互いに折り重ねられることを維持する、キャリア（１）。
【請求項４】
請求項３に記載のキャリア（１）であって、第１コンパートメント（５）は、第２コンパートメント（６）に折り重ね可能であり、前記第１および第２コンパートメント（５，６）は、キャリア（１）が閉状態にあるときに、共に折り重ねられた前記第３および第４コンパートメント（７，８）に折り重ね可能である、キャリア（１）。
【請求項５】
請求項４に記載のキャリア（１）であって、第１および第２コンパートメント（５，６）は、ロックアセンブリ（１１）と共に配置され、ロックアセンブリ（１１）は、キャリア（１）が説明的状態にあるときに、第１および第２コンパートメント（５，６）が共に折り重ねられることを保ち、共に折り重ねられた第１および第２コンパートメント（５，６）は、共に折り重ねられた第３および第４コンパートメント（７，８）に折り重ねられない、キャリア（１）。
【請求項６】
請求項１〜５のいずれか１項に記載のキャリア（１）であって、それぞれのコンパートメントは、気管切開アクセサリ（２３）の少なくとも一部を保持するように配置されているポケット（２０）を覆うように配置されているカバーフラップ（１８）と共に配置され、前記カバーフラップ（１８）の少なくとも２つは、それぞれ磁石（１９，１９ｂ）と共に配置され、磁石（１９，１９ｂ）は、上方のコンパートメントのフラップ（１８）の磁石を、下方のコンパートメントの開いたフラップ（１８）と係合させることによって、１つのフラップ（１８）を開位置に保つように協働し、磁石は、反対の極性を有する、キャリア（１）。
【請求項７】
請求項１〜６のいずれか１項に記載のキャリア（１）であって、少なくとも１つのコンパートメント（５，６，７，８）が、少なくとも２つのサブコンパートメント（６ａ，６ｂ，８ａ，８ｂ）を備える、キャリア（１）。
【請求項８】
請求項１〜７のいずれか１項に記載のキャリア（１）であって、少なくとも１つのコンパートメント（５，６，７，８）が、キャリア（１）に取り外し可能に配置されている、キャリア（１）。
【発明の詳細な説明】
【技術分野】
【０００１】
この出願は、気管切開器具のユーザーの人格を保つ改良されたキャリアに関する。
【背景技術】
【０００２】
気管切開を余儀なくさせる診断を受けることは、当然、気管切開器具の多くのユーザーが秘密にしておくことを望む私事である。個人衛生のあらゆる問題と同様に、そのような望みは、尊重されるべきである。
【０００３】
気管切開を受けた患者は、彼の／彼女の私生活に深刻な影響を及ぼした。自宅でのセルフケアのために退院すると、患者は、様々な製品の使い方に関して、特に夜間に、心配および不安に悩まされる。
【０００４】
気管切開器具用の現代のキャリアは、通常の化粧品バッグとして構成され、全ての器具を、居合わせた人による観覧にさらされる状態にし、ユーザーが、シンプルなクリーニングワイプにアクセスすることを望むだけであっても、ナイトウェアに使用されるようなものを含む全ての器具をさらす。
【０００５】
現代のキャリアは、クリーニングワイプ等を保持する外部コンパートメントまたはポケットを取り付けることによって、これを軽減することを試みたが、これは、ユーザー間にある当惑および／またはいら立ちをもたらした。今度は、単純作業を行うのにいくつかのポケットを開けなければならず、それが要する時間およびあるユーザーが感じるあり得る困惑を加える。
【発明の概要】
【発明が解決しようとする課題】
【０００６】
従って、安心感を強めながら、ユーザーの人格を保ち、および使用するのに便利であり、および単純作業を行うのに必要な時間を加えることもない、改良されたキャリアの必要性がある。
【課題を解決するための手段】
【０００７】
本明細書に教示の目的の１つは、背景技術の欠点を解決、緩和または少なくとも減らすことであり、それは、添付の請求項によって、および特に気管切開アクセサリを保持するように配置されたキャリアによって、達成され、前記のキャリアは、以下を備える：少なくとも２つのコンパートメントであって、それぞれのコンパートメントが、気管切開アクセサリの種類を保持するように配置されている、少なくとも２つのコンパートメント、どのコンパートメントがどのアクセサリの種類を保持するかについてユーザーをガイドする説明的ガイド、および、前記の少なくとも２つのコンパートメントは、互いに折り重ねることができ、前記のコンパートメントが、閉じた状態でアクセスできなくなる。
【０００８】
利点の１つは、ユーザーが、当惑なく、および他の器具を周囲に不必要にさらすことなく、どのアクセサリにもアクセスできること、および、術後の自宅でのセルフケアと関連する心配およびストレスの軽減である。
【０００９】
キャリアが区分化され、コンパートメントが最も可能性の高い使用順にアクセスされて露出し、睡眠用などのより進んだアクセサリが、最後にアクセスされ、推定するにより私的な領域で、ユーザーの人格が維持される。それぞれのコンパートメントが、それぞれの機会に必要とされるアクセサリを保持するので、２つ以上のコンパートメントを開く必要がなく、従って、キャリアを、より使い勝手をよくし、また使用するのにより時間効率的にする。
【００１０】
開示される実施形態の他の特徴および利点は、以下の詳細な説明から、添付の従属請求項からおよび図面から、現れる。
【００１１】
発明は、添付図面に関連して以下に記載される。
【図面の簡単な説明】
【００１２】
【図１】本明細書に教示の実施形態による閉状態にあるキャリアの側面図を示す。
【図２】本明細書に教示の実施形態による開状態にあるキャリアの前面図および後面図を示す。
【図３】本明細書に教示の実施形態による閉じた説明的状態にあるキャリアの前面図を示す。
【図４】本明細書に教示の実施形態による部分的に開いた状態にあるキャリアの前面図を示す。
【図５】本明細書に教示の実施形態による開いたコンパートメントを有するキャリアの前面図を示し、開いたコンパートメントのクローズアップも示す。
【図６】本明細書に教示の実施形態による取り外し可能なコンパートメントを有するキャリアの前面図を示す。
【図７】それぞれのコンパートメントが、本明細書に教示の実施形態によるカテゴリー化を示すシンボルを付けられた、キャリアの前面図を示す。
【発明を実施するための形態】
【００１３】
発明は、いくつかの例の実施形態に関連してこれから開示される。発明は、いくつかの例に関連してしか開示されていないが、例示的実施形態の多くの変形およびまた組み合わせが、発明の範囲内で可能であることに、注意すべきである。
【００１４】
図１は、本明細書に教示の実施形態による閉状態にあるキャリア１の側面図を示す。キャリア１は、折り重ね可能なキャリング構造１を備え、図１のように、閉位置にあるとき、キャリアは、１つ以上のストラップ３によって閉じられたままであり、１つ以上のストラップ３は、キャリア１の周りで少なくとも部分的に伸び、ロック４によってロックされてよく、ロック４は、磁気スナップロック、ボタンロック、スナップロック、ベルクロ（登録商標）ロックなどのフックアンドループ、または他の考えられるロック手段などである。一実施形態では、ロック４は、磁性を有し、それは、迅速な解放を提供する一方で、容易に取り外し可能である十分な係止力を依然として提供する。一実施形態では、ロック４は、フックアンドループの種類であり、それは、迅速な解放を提供する一方で、容易に取り外し可能である十分な係止力を依然として提供する。キャリア１は、２つ以上のコンパートメントを備え、この例では、キャリア１は、４つのコンパートメント５，６，７および８を備える。図１に見られるように、キャリア１は、コンパートメント５，６，７および８が、キャリア１に囲まれて保護されるように、折り重ねられる。コンパートメント５，６，７および８がこのように折り重ねられると、それらは、下方にも（それらの重さのため）、外側にも、力を及ぼし、従ってロック手段４に係止力を提供する。
【００１５】
閉状態で、全てのコンパートメント５，６，７および８は、アクセスできない一方で、小型でコンパクトな外形寸法を提供する。
【００１６】
図２は、本明細書に教示の実施形態による完全に開いた状態にあるキャリア１の前面図および後面図を示す。完全に開いた状態の前面図では、全ての４つのコンパートメント５，６，７および８は、アクセス可能である。それぞれのコンパートメント５，６，７および８は、１つ以上のポケット（３つのポケット５Ａ，５Ｂ，５Ｃを備える第１コンパートメント５および２つのポケット８Ａ，８Ｂを備える第４コンパートメントのみで例示される）を備えてよいことが、分かる。コンパートメントで保持されるアクセサリの数と大きさに応じて、コンパートメントは、１つ、２つかそれ以上のポケットを備えてよいことに、注意すべきである。ポケットは、図２で示されるようにフラップで覆われてよい。ポケットは、追加的にあるいは代替的に、ジッパーまたはジップのロックなどによるジッパー状構造によって、覆われてよい、または閉じられてよい。
【００１７】
この例では、キャリアは、説明的ガイド１４を有し、それは、マニュアル、レシピ、医療情報、医療ログおよび／または説明用カードを保持するポケットとして、形成されてよい。説明的ガイドまたは情報ポケット１４は、どのコンパートメント５，６，７および８がどのアクセサリを保持するかについて、ユーザーを導く働きをし、ユーザーが間違ったコンパートメントを開けることによる、アクセサリの不測の露出を、回避することができるようになっている。さらに、ユーザーは、キャリア１の製品／アクセサリ全体を露出せずに、どの製品を使用するか、およびキャリアのどこに行くかを、容易かつ安全に識別することができ、従って、ユーザーを過度のストレスおよび不安から解放する。好ましくは、説明的ガイド１４は、それぞれのアクセサリの種類のシンボルを保持する。同じシンボルは、そして、対応するコンパートメント５，６，７および／または８に配置されてよい。このようにして、ユーザーは、彼／彼女がどのアクセサリを必要としているかを説明的ガイドで容易に識別することができ、そして、最適なアクセサリ（すなわち、当該状況に適しているアクセサリ）を取り出すために、コンパートメント５，６，７または８上の対応するシンボルを探すことができる。このために、情報ガイドは、例えば、対応するシンボルの付いた、ナイトケア、デイケア、バスルーム、外出する／家を出る等のセクションを、有してよい。例えば、ナイトケアのシンボルは、月の絵であってよく、デイケアのシンボルは、太陽の絵であってよく、バスルームのシンボルは、化粧室またはシャワーの絵であってよく、外出する／家を出るシンボルは、人が家の外で立っている家の絵であってよい。そして、ユーザーは、必要なアクセサリの種類と関連する同じシンボルを識別することができ、容易なアクセサリの種類の検索のために、コンパートメント５，６，７または８上の同じシンボルを見つけることができる。
【００１８】
キャリア１は、後面図に見られるように、ユーザー識別、ユーザーマニュアルまたは他の書類／文書をキャリアの外側で保持するポケット１２および／または説明的タグ１５も備えてよい。
【００１９】
図１から分かるように、第１コンパートメント５は、第２コンパートメント６に折り重ねられてよい。第４コンパートメント８は、第３コンパートメント７に折り重ねられてよい。コンパートメントが互いに折り重ねられると、それぞれのコンパートメントのポケットは、それぞれのポケットのフラップが、その上に折り重ねられているコンパートメントによってそのポケットの方に押し付けられるので、フラップで覆われる場合に特に、閉じられたままであることがさらに保証される。
【００２０】
キャリア１は、第４コンパートメントに隣接して配置されたロックストラップ９を係合させるように、第３コンパートメントと第２コンパートメント６との間に配置されたロック１０を備える。これは、第４コンパートメントが第３コンパートメント７に折り重ねられると、それらがそのような部分的に閉じた位置でロックされることを、確実にする。
【００２１】
キャリア１を完全に閉じた位置にするために、ユーザーは、従って、第４コンパートメント８を第３コンパートメント７に折り重ね、ロック配置９，１０（そのようなものが存在する場合）をロックし、第１コンパートメント５を第２コンパートメント６に折り重ねることができ（場合によってはガイド１４も）、第１および第２コンパートメント５，６が、第３および第４コンパートメント７，８に折り重ねられる。キャリアは、そして、ストラップおよびそのロック４で閉じられてよい。
【００２２】
また見られるように、キャリア１は、開いたときにキャリアをつるすことによって簡単に取り付けるためのフックまたはループ１３と共に配置されてよい。フックまたはループ１３は、第２コンパートメント６から離れた側で第１コンパートメントに隣接して配置され、ラックまたはハンガーなどによって、取り付けられるときに、第２およびまた第３および第４コンパートメント６，７，８が第１コンパートメントの下に垂れ下がることを確実にする。
【００２３】
図３は、本明細書に教示の実施形態による閉じた説明的状態にあるキャリア１の前面図を示す。見られるように、説明的ガイド１４は、第３および第４コンパートメント７，８から離れるように折られたが、依然として第１および第２コンパートメント５，６に折り重ねられている。この閉じているが、説明的である状態で、情報のみが、ガイドを通じておよび場合によっては情報ポケット１４によって保持されるマニュアルおよび／または他の医療用紙を通じて、ユーザーに提供される。これは、ユーザーが、実際のアクセサリを保持するコンパートメントを開いたままにすることなく、医療用紙、マニュアルまたは他の書類にアクセスおよび／またはそれを調べることができるようにする。
【００２４】
第１および第２コンパートメント５，６および情報ポケット１４は、情報ポケット１４の対応するロック部を係合させるロック１１（図２にも見られる）によって定位置に保持される。他のロックに関して、ロック１１は、フックアンドループ（ベルクロ（登録商標）など）、磁気ロック、または本明細書で例示される他の種類のロックであってよい。
【００２５】
第３および第４コンパートメント７，８は、ロック配置９，１０によって定位置に保持される。
【００２６】
図４は、本明細書に教示の実施形態による部分的に開いた状態にあるキャリアの前面図を示す。ロック配置１１は、第１および第２コンパートメント５，６が互いから離れるように折られることができるように、解放された。情報ポケット１４も、コンパートメント５，６から離れるように折られた。第１および第２コンパートメント５，６，は、従って、ユーザーがアクセスできるようになり、一方、第３および第４コンパートメント７，８は、依然としてアクセス不可能に保たれ、ユーザーの人格を安全に守る。それらは、ロック配置９，１０によって定位置に保持される。
【００２７】
前に言及したように、それぞれのコンパートメントは、１つ以上のポケット（５Ａ，５Ｂ，５Ｃ，８Ａ，８Ｂ）を備えてよい。ポケットは、折り畳み式のフラップで覆われてよい。一実施形態では、そのようなフラップは、この例の第１コンパートメント５のポケットの場合のように、２つ以上のポケットを覆ってよい。フラップは、第４コンパートメント８の場合のように、１つのポケットのみを覆ってもよい。一実施形態では、コンパートメント５，６，７，８は、２つ以上のサブコンパートメントを備えてよく、例えば、２つのサブコンパートメント８Ａおよび８Ｂを備える第４コンパートメントなどである。
【００２８】
図５は、本明細書に教示の実施形態による、ここでは第３コンパートメント７で例示される、開いたコンパートメントを有するキャリア１の前面図を示し、開いたコンパートメント７のクローズアップも示す。コンパートメント７は、ユーザーによって使用される実際のアクセサリ２３を保持または保管するための、少なくとも１つのポケット２０を備える（この例では３つのポケット）。ポケット２３は、折り畳み式のフラップ１８によって覆われ、この図では、その中身を見せるように、上方に折られた。一実施形態では、フラップ１８は、少なくとも１つのフレーム２２（場合によってはそれぞれのポケット２０に１つ）と共に配置され、その中に、情報カード２１がスライドまたは印刷されてよい。
【００２９】
一実施形態では、フラップ１８は、フラップ１８を閉じた位置に保つために、磁石１９およびポケット２３上の対応する磁石１９ａとともに配置される。
【００３０】
そのような一実施形態では、磁石１９，１９ａは、それぞれのフラップ１８上のそれぞれの磁石対１９，１９が配置されるものと、極性が交互で配置され得る。言い換えれば、１つのフラップ上の磁石対１９，１９ａは、隣り合うフラップ１８ａ上の磁石対１９ｂと反対の極性を有する。図５の例では、これは、第３コンパートメント７のフラップ１８は、第４コンパートメント８のフラップ１８ａ上の磁石１９ｂと反対の極性を有することを、意味する。これは、フラップ１８が上方に折られるときに、隣り合う（または上の）コンパートメントのフラップ上の磁石と協働する１つのコンパートメントのフラップ１８上の磁石１９によって、フラップ１８が開いた位置に保たれることができるようにする。図５の例では、第３コンパートメント７のフラップ１８は、第２コンパートメントのフラップに配置された磁石（図示せず）との協働によって、開いた位置に保たれる。同様に、第４コンパートメント８のフラップ１８ａが上方に折られるならば（第３コンパートメント７が閉じられているとき）、第４コンパートメント８のフラップ１８上の磁石１９ｂは、第３コンパートメント７のフラップ１８上の磁石１９と協働する。一実施形態では、第１コンパートメントのフラップ上の磁石は、正極を有し（閉じたときの前面から見て）、第２コンパートメントのフラップ上の磁石は、負極を有し（閉じたときの前面から見て）、第３コンパートメントのフラップ上の磁石は、正極を有し（閉じたときの前面から見て）、第４コンパートメントのフラップ上の磁石は、負極を有する（閉じたときの前面から見て）。
【００３１】
そのような実施形態では、フラップ１８の長さは、キャリア構造１から、コンパートメントの厚さを含む上側のコンパートメントの磁石１９までの距離に等しい、またはそれを超える。
【００３２】
本明細書に教示の実施形態によるキャリア１の前面図を示す図６に示されるように、コンパートメント５，６，７，８は、キャリア１に取り外し可能に配置されてよい。図５は、キャリア１と、ここでは第３コンパートメント７で例示される、取り外されたコンパートメントの前面図および後面図と、を示す。取り外し可能なコンパートメント７は、ロック配置１６，１７によってキャリアに固定されるように配置されてよく、ロック配置１６，１７は、フックアンドループロック配置（ベルクロ（登録商標など））、押しボタン、磁気ロック、ジッパーまたは他のロック手段などである。取り外し可能なコンパートメントは、ユーザーが、ユーザーが実際に使用するコンパートメントのみを持って行き、キャリア全体１を持って行かなくてもいいということを可能にするという、利点を有する。これは、例えば、家を出るのと関連するアクセサリを備えるコンパートメントであってよい。
【００３３】
図７は、本明細書に教示の実施形態によるキャリア１の前面図を示す。この例では、全てのコンパートメントおよびまたサブコンパートメント５，６ａ，６ｂ，７，８ａ，８ｂのフラップは、アイコン２４ａ−ｆなどの説明的シンボルまたはラベルが提供されている。アイコン２４ａ−ｆは、それぞれのコンパートメント５，６ａ，６ｂ，７，８ａ，８ｂが保持するものについての情報をユーザーに提示するだけでなく、コンパートメント５，６ａ，６ｂ，７，８ａ，８ｂの巧みな配置によって可能となるカテゴリー化も表す。発明者は、使用されるアクセサリを、いつまたはどのようなシナリオでそれらが使用されるかに従って分類することによって、および、同じコンパートメントに（場合によってはさらなるカテゴリー化を提供する異なるサブコンパートメントに）同様のカテゴリーのアクセサリを配置することによって、ユーザーの人格を保つ一方で、同時に、特に、本明細書に開示されるキャリア１に従って、いくつかのコンパートメントがアクセスされる一方でアクセス不可能に保たれるコンパートメントの使用を通じて、アクセサリにアクセスするより便利な方法を提供することが可能であることに、気付いた。
【００３４】
カテゴリー化も、容易に使用することができ、および気管切開と必ずしも関連しない通常の製品に類似していることもある、アクセサリを、区別するのに役立つ。キャリア１が、いくつかのコンパートメントがアクセス可能であるときにいくつかのコンパートメントはアクセス不可能に保たれる異なるステップで開かれるように配置されるので、従って、より私的な使用またはより密接に気管切開に関連するアクセサリを、部分的に開いた状態でアクセス不可能に保たれるコンパートメントに配置することによって、ユーザーの人格を保つことが可能である。
【００３５】
図７の例では、第１コンパートメント５は、（通常の）デイユースと関連する全てのアクセサリを保持するように、配置される。デイユースは、太陽を表すシンボル２４ａで示される。第２コンパートメント６は、清浄と関連するアクセサリを保持するように配置され、２つのサブコンパートメント６ａ，６ｂにさらに分けられ、第１のもの６ａは、スキンケアユースを示す波および滴を表すアイコン２４ｂを特徴とし、第２のもの６ｂは、シャワーを表すアイコン２４ｃを特徴とする。第１サブコンパートメント６ａは、従って、スキンユースと関連するアクセサリを保持し、第２サブコンパートメント６ｂは、シャワーと関連するアクセサリを保持する。
【００３６】
第３コンパートメント７（部分的に開いた状態でアクセスできないままである２つのコンパートメントの１つでもある）は、月を表すアイコン２４ｄと共に配置され、それによってナイトユースを示し、第４コンパートメント８は、２つのサブコンパートメントに分けられ、第１のもの８ａは、前進を示すアイコン２４ｅを付けられ、ますます進んだアクセサリを保持し、第２サブコンパートメント８ｂは、屋外（外出）使用を示す家を出る人を表すアイコン２４ｆを付けられている。明らかに、第３および第４コンパートメント７，８の中身は、それらは、睡眠および外出前に取られる行動に関連するので、内部（大体は自宅）でのみアクセスされる。そのようなものとして、それらは、部分的に開いた状態でアクセスできないままであるコンパートメントに入れられ、キャリア１が完全に開いているときだけアクセス可能であり、キャリア１が完全に開いているのは、自宅のプライバシーでは問題でない。
【００３７】
アクセサリのカテゴリー化、および、より私的でないとして分類されたアクセサリがアクセスされるときでも、より私的なまたは進んだ種類として分類されたアクセサリを、アクセス不可能に保つことを維持する方法を、提供するキャリア１が、このようにして提供され、アクセサリにアクセスするおよびそれを保持する便利な方法を提供しながら、ユーザーの人格を保つ。
【００３８】
本明細書の開示は、４つのコンパートメント５，６，７，８および情報ポケット１４に焦点を合わせているが、任意の数のポケットが可能であり、情報ポケットは、存在してもしなくてもよいことに、注意すべきである。例えば、一実施形態では、第３および第４コンパートメント７，８は、互いに折り重ねられ、第１コンパートメント５は、共に折り重ねられた第３および第４コンパートメントに折り重ねられ、従って、コンパートメントが、ユーザーの人格を保つように段階的に開かれる、３つのコンパートメントを有する同様のキャリングシステムを提供する。
【００３９】
発明は、主にいくつかの実施形態に関連して上記で説明された。しかしながら、当業者に容易に認められるように、上記で開示されたもの以外の実施形態が、添付の「特許請求の範囲」によって定められる発明の範囲内で同様に可能である。
【図１】
2019506927.tif 000003
【図２】
2019506927.tif 000004
【図３】
2019506927.tif 000005
【図４】
2019506927.tif 000006
【図５】
2019506927.tif 000007
【図６】
2019506927.tif 000008
【図７】
2019506927.tif 000009
【国際調査報告】
2019506927.tif 000010
2019506927.tif 000011
2019506927.tif 000012
2019506927.tif 000013